(57)【要約】【課題】  設置場所の制約を受けることなく設備費用を低減することができ、運用の自由度が高いページング装置を提供する。【解決手段】  複数の通信回線の任意の１回線を用いて相互通話する複数の有線端末装置と、所定の通信回線を介して出力される音声信号を増幅してスピーカから出力する主装置と、音声情報を送受すると共に音声帯域内における所定周波数の信号を送出する複数の無線端末装置からの接続要求を受けて所定の伝送路に切り換える交換機の伝送路に接続され、各無線端末装置が出力する音声帯域内の所定周波数の信号が所定時間継続したことを判定して検出信号を出力する複数の信号検出器の検出信号に応じて交換機の伝送路を通信回線の所定の１回線に切り換えて、無線端末装置と有線端末装置または前記主装置とを接続する回線切換部とを具備する。【選択図】      図１
2006067290.tif 000002
【特許請求の範囲】
【請求項１】
複数の通信回線にそれぞれ接続されて、該通信回線の任意の１回線を用いて相互通話する複数の有線端末装置と、
複数の前記通信回線に接続されて、前記有線端末装置から所定の前記通信回線を介して出力される音声信号を増幅して所定の位置に配設された複数のスピーカから出力する主装置と、
音声情報を送受すると共に、音声帯域内における所定周波数の信号を送出する複数の無線端末装置と、
これらの無線端末装置からの接続要求を受けて所定の伝送路に切り換える交換機と、
この交換機の伝送路に接続されて、前記各無線端末装置により伝送される音声帯域の信号を受けて、この音声帯域内の所定周波数の信号が所定時間継続したことを判定して検出信号を出力する複数の信号検出器と、
これらの信号検出器の検出信号に応じて前記交換機の伝送路を前記通信回線の所定の１回線に切り換えて、前記無線端末装置と前記有線端末装置または前記無線端末装置と前記主装置とを接続する回線切換部と
を具備することを特徴とするページング装置。
【請求項２】
前記無線端末装置が送出する音声帯域内の所定周波数の信号は、単一周波数信号または複数の単一周波数信号を組み合わせたものである請求項１に記載のページング装置。
【発明の詳細な説明】
【技術分野】
【０００１】
本発明は、ページング装置に係り、特に有線ページング装置および無線ページング装置との間で相互通話するに好適なページング装置に関する。
【背景技術】
【０００２】
従来、敷地が広い例えばプラントなどの構内等では、従業員等をスピーカで呼び出して通話する有線ページング装置が用いられている（例えば、非特許文献１，２を参照）。この有線ページング装置は、例えば図５に示すように構内の所定の場所に複数のハンドセットステーション１を配置すると共に、複数の通話回線２と呼び出し用の放送回線３とを敷設したものとなっており、これらの通信回線は、主装置６に接続されている。この主装置６は、各ハンドセットステーション１に電源を供給すると共に、ハンドセットステーション１から放送回線３を介して伝送されたアナログ音声信号を増幅部６ａにて増幅してスピーカ回線４に出力するようになっている。ちなみにスピーカ回線４は、構内の所定の場所に配設されて該スピーカ回線４に接続されたスピーカ５から音声信号（呼出情報）を出力する伝送路の役割を担っている。
【０００３】
一方、ハンドセットステーション１には、利用者からなされる所望の回線への接続要求が入力されるスイッチ入力部７が設けられて、このスイッチ入力に従って放送回線３または複数の通話回線２のうち任意の１回線に接続を切り換える回線切換部８が設けられたものとなっている。このスイッチ入力部７は、スピーカ５から出力される音声により構内の従業員等を呼び出すべく放送回線に接続する呼出ボタン（図示せず）のほか、複数の通話回線２の中から任意の１回線を選択する回線選択ボタン（図示せず）が設けられている。また、ハンドセットステーション１には、音声通話用のハンドセット９が設けられて通話回線２を介して送受される信号を通話に相応しいレベルになるよう増幅する増幅部１０が設けられている。
【０００４】
このように構成された有線ページング装置にあっては、利用者がハンドセットステーション１に設けられた呼出ボタンを押下して、従業員等をスピーカ５を介して呼び出す。そして、この放送によって呼び出された従業員等は、指定された通話回線２に接続して相互通話を行うべく双方とも同じ通話回線２を選択する。このときなされる通話に関しては、主装置６の関与はなく、ハンドセットステーション１間で通話回線２を介して相互通信を行うようになっている。また、通話相手先の切り換えは、接続を所望する回線選択ボタンを押下するだけでよい。
【０００５】
このような有線ページング装置の他、通信回線の敷設が不要な無線ページング装置が知られている（例えば、非特許文献１，２を参照）。この無線ページング装置は、例えば図６に示すように従業員等が所持する複数の携帯子機１１と、この携帯子機１１と無線送受して音声帯域の信号を送受する複数の基地局１２およびこられの基地局１２と有線回線で接続された交換機１３とから構成される。なお、交換機１３と基地局１２との間の有線回線は、音声帯域の信号を送受する以外にも交換機１３から基地局１２を駆動する直流が重畳される。
【０００６】
このように構成された無線ページング装置は、携帯子機１１から通話したい相手先が持つ携帯子機１１の子機番号（電話番号）をダイヤリングすることにより、交換機１３が通話相手先の携帯子機１１を呼び出して、相互通話ができるよう構成されている。ちなみに携帯子機１１と基地局１２との間の通信手順は、例えば、ＲＣＲ  ＳＴＤ−２８に規定される第二世代コードレス電話システム標準規格等が適用される。なお、基地局１２と交換機との間は、一般に独自方式の伝送手順が適用されている。
【０００７】
ところで前述した有線ページング装置と比べて無線ページング装置が優れている点は、通信回線を敷設する必要がないこと、スピーカを用いて従業員等を呼び出すことがなく近隣への騒音問題も生じることがない等をあげることができる。
【非特許文献１】岩崎通信機（株），「岩通  有線ページング／放送装置  ＢＩシリーズ」カタログ，岩崎通信機（株），２００１年４月，カタログ番号  ＣＴ（Ｔ）１０４−５３４−３−０５  ＳＰ８１０１−５１３８−２
【非特許文献２】岩崎通信機（株），「ＤＩＧＩＸII（ディジックス）デジタル  フィールドコミュニケーションシステム」カタログ，岩崎通信機（株），２００３年６月，カタログ番号  ＣＴ（Ｇ）６０２−６２１−１−１０  ＳＰ８１０１−５１６０−０
【発明の開示】
【発明が解決しようとする課題】
【０００８】
しかしながら、上述した従来の有線ページング装置は、複数のハンドセットステーション１やスピーカ５を配設すると共に、各ハンドセットステーション１にはそれぞれ複数の通信回線（通話回線２および放送回線３）を接続する必要がある。このため、いったん配置した後の設置場所の変更や、ハンドセットステーション１の増設等が困難であるという問題があった。
【０００９】
一方、無線ページング装置は、従業員等が携行する携帯子機１１を用いるため、有線ページング装置より運用の自由度が高い反面、交換機１３を介した通信を行うため、通話相手先を切り換える都度、ダイヤルする必要があり操作性がよくないという問題もあった。つまり、無線ページング装置の場合、通話を所望する相手の携帯端末１１をダイヤリングして呼び出さなければならず、有線ページング装置のように通話中に別の相手に切り換えて通話を行うことができないという問題があった。
【００１０】
本発明はこのような従来の事情に対処してなされたものであり、その目的は、設置場所の制約を受けることなく設備費用を低減することができ、運用の自由度が高いページング装置を提供することにある。
【課題を解決するための手段】
【００１１】
上記の目的を達成するため、本発明に係るページング装置は、  複数の通信回線にそれぞれ接続されて、該通信回線の任意の１回線を用いて相互通話する複数の有線端末装置と、複数の前記通信回線に接続されて、前記有線端末装置から所定の前記通信回線を介して出力される音声信号を増幅して所定の位置に配設された複数のスピーカから出力する主装置とからなる有線方式のページング装置と、音声情報を送受すると共に、音声帯域内における所定周波数の信号を送出する複数の無線端末装置（携帯子機）と、これらの無線端末装置からの接続要求を受けて所定の伝送路に切り換える交換機と、この交換機の伝送路に接続されて、前記各無線端末装置（携帯子機）により伝送される音声帯域の信号を受けて、この音声帯域内の所定周波数の信号が所定時間継続したことを判定して検出信号を出力する複数の信号検出器と、これらの信号検出器の検出信号に応じて前記交換機の伝送路を前記通信回線の所定の１回線に切り換えて、前記無線端末装置（携帯子機）と前記有線端末装置または前記無線端末装置（携帯子機）と前記主装置とを接続する回線切換部とを具備することを特徴としている。
【００１２】
好ましくは、前記無線端末装置が送出する音声帯域内の所定周波数の信号は、単一周波数信号または複数の単一周波数信号を組み合わせたものが望ましい。
上述したページング装置によれば、無線端末装置（携帯子機）から音声帯域内における所定周波数の信号、具体的にはトーン信号を所定時間送出することで、有線方式のページング装置に設けられた放送回線あるいは通話回線に接続される。
【発明の効果】
【００１３】
このように本発明のページング装置にあっては、無線端末装置（携帯子機）から音声帯域内における所定周波数の信号、すなわち単一周波数または複数の単一周波数からなるトーン信号を送出することで、有線方式におけるページング装置の所望とする通信回線に接続することができる。また無線端末装置（携帯子機）において通話回線を切り換える際、一端、交換機との接続を開放することなく通話回線を切り換えることが可能である等、実用上多大なる効果を奏する。
【発明を実施するための最良の形態】
【００１４】
以下、本発明に係るページング装置に関し、図面を参照しながら説明する。
図１は本発明の一実施形態に係るページング装置の全体構成を示す概略ブロック図である。尚、この図において前述した従来の実施形態と同一機能を有する部位については、同符号を付し、その説明を略述する。
本発明に係るページング装置が特徴とするところは、詳細は後述するが、有線ページング装置と無線ページング装置とを結合させるインタフェース部２０を設けた点にある。
【００１５】
さて、図１において１は、所定の場所に配設されるハンドセットステーションである。このハンドセットステーション１には、利用者が所望する通信回線（通話回線２または放送回線３）を選択するスイッチ入力部７が設けられている。このスイッチ入力部７には、詳しくは複数の通話回線２或いは放送回線３のいずれかを選択する図示しないスイッチが設けられたものとなっている。具体的には通話回線２が［３］回線からなり、例えばそれぞれの通話回線２の回線番号が［１］，［２］，［３］と割り当てられている場合、それぞれの回線番号毎に通話回線２を選択する上記回線番号を明示したボタンが設けられている。またスイッチ入力部７には、放送回線３を選択するボタンとして、例えば「呼出」なる名称が記載されたボタンが設けられている。
【００１６】
ハンドセットステーション１には、上述したスイッチ入力部７によって選択された通信回線に接続を切り換える回線切換部８、音声通話用のハンドセット９および回線切換部８によって切り換えられた通話回線２を介して送受される信号を通話に相応しいレベルになるよう増幅する増幅部１０がそれぞれ設けられている。
主装置６には、通話回線２、放送回線３およびスピーカ回線４がそれぞれ接続されている。また主装置６は、通話回線２に接続された複数のハンドセットステーション１に対して、電源を供給する電源部６ｂを備えている。この電源部６ｂは、放送回線３を介してハンドセットステーション１が動作するために必要な電源を供給すると共に、ハンドセットステーション１に設けられたハンドセット９がオフフックされたことを検出する役割と、その他に通話回線２を介してハンドセットステーション１にて放送回線３を選択したことを検出する役割を担っている。
【００１７】
一方、無線ページング装置側には、複数の利用者がそれぞれ所持する複数の携帯子機１１と、この携帯子機１１と無線送受して音声帯域の信号を送受する複数の基地局１２およびこられの基地局１２と有線回線１２ａで接続された交換機１３が設けられている。ちなみに、交換機１３と基地局１２との間の有線回線１２ａには、音声帯域の信号を送受する以外にも交換機１３から基地局１２を駆動電源としての直流が重畳される。詳しくはこの交換機１３には、携帯子機１１からの接続要求を受けて通話路の保持、回線の閉塞等を行うトランク１４が設けられている。
【００１８】
このトランク１４に接続される伝送路１５と、複数の通話回線２および放送回線３との間には、インタフェース部２０が介挿されている。このインタフェース部２０は、伝送路１５を複数の通話回線２および放送回線３のいずれか一回線に接続する回線切換部２１を備えたものとなっている。この回線切換部２１は、図２にインタフェース部２０の構成を示すように、通話回線２および放送回線３と交換機に入出力される伝送路１５との間に介挿された複数の回線切換スイッチ２２およびそれぞれの回線切換スイッチ２２に接続されて、該回線切換スイッチ２２の駆動（オン／オフ）を制御する複数のスイッチ制御部２３から構成されている。そして回線切換スイッチ２２の伝送路側は、それぞれ伝送路１５に接続されている。
【００１９】
一方、回線切換スイッチ２２の通信路側は、複数の通話回線２および放送回線３にそれぞれ接続されている。これらの複数の回線切換スイッチ２２は、後述するＰＢレシーバ２４からの制御を受けてオン／オフ制御されるようになっている。ＰＢレシーバ２４から出力される回線切換スイッチ２２のオン／オフ制御信号は、この制御信号をそれぞれ保持して回線切換スイッチ２２に出力するスイッチ制御部２３を介して回線切換スイッチ２２に与えられる。
【００２０】
ＰＢレシーバ２４は、伝送路１５上に流れる音声帯域内における所定周波数の信号、即ち所定の周波数のトーン信号が、所定時間以上継続したことを監視するもので、該信号を検出した場合、検出信号をスイッチ制御部２３に与えるようになっている。ちなみに、この図においては、ＰＢレシーバ２４が検出する信号の所定の周波数を［ｆ１〜ｆ４］の四つの異なる周波数を検出するものとして例示している。具体的には、伝送路１５に周波数［ｆ１］の単一周波数のトーン信号が所定時間継続されたことをＰＢレシーバ２４の信号検出器２４ａが検出すると、スイッチ制御部２３にそのトーン信号を検出した検出信号を与える。この検出信号を受けたスイッチ制御部２３は、その検出信号を受けて該スイッチ制御部２３によって保持されたスイッチを閉じる（オンする）制御信号を回線切換スイッチ２２に与える。そしてこの制御信号を受けた回線切換スイッチ２２は、スイッチを閉じて（オンして）通話回線２または放送回線３のいずれか一回線と交換機１３の伝送路１５とを接続する。また、信号検出器２４ａは、他のいずれかの信号検出器２４ａが所定周波数のトーン信号を検出すると、スイッチを閉じているスイッチ制御部２３に対して、該スイッチを開くよう制御信号を与える。つまりＰＢレシーバ２４に設けられた信号検出器２４ａのいずれかが、予め割り当てられたトーン信号を検出すると、そのトーン信号を検出した信号検出器２４ａが制御する回線切換スイッチ以外のすべての回線切換スイッチを開くようになっている。
【００２１】
また交換機１３とインタフェース部２０との間には、上述したようにして通話回線２または放送回線３のいずれか一回線と交換機１３の伝送路１５とが接続された後、通話が終了したとき、トランク１４からインタフェース部２０に対して回線開放要求を伝送する制御路１６が設けられている。この制御路１６は、インタフェース部２０のスイッチ制御部２３を初期化するリセット部２５に接続されている。そしてリセット部２５は、トランク１４から出される回線開放要求を受けて、スイッチ制御部２３を初期化し、すべての回線切換スイッチを開く（オフする）ようになっている。
【００２２】
このように構成された本発明の一実施形態に係るページング装置の作動に関して、図３に示すフローチャートを参照しながら詳細に説明する。このフローチャートに図示するアルゴリズムは、携帯子機１１からスピーカ回線４を介してスピーカ５から利用者が通話を所望する相手を放送で呼び出して、該携帯子機１１と任意のハンドセットステーション１に設けられたハンドセット９を介して相互通話する場合を例示したものである。尚、ここでは、既に携帯子機１１と交換機１３とは、基地局１２を介して無線回線が確立しているものとする。
【００２３】
さて、携帯子機１１を携行する利用者は、通話を所望する相手を呼び出すべく該携帯子機１１に割り当てられた所定のボタン（特番）を押下する［ステップＳ１］。この特番は、例えば「８」等の任意のボタンが予め割り当てられたものとなっている。携帯子機１１から特番を受けた交換機１３は、トランク１４を補足すると共に、伝送路１５をインタフェース部２０に接続する。この後、初期接続部２６から接続情報をスイッチ制御部２３に与える。この情報を受けたスイッチ制御部２３は、回線切換スイッチ２２を閉じて交換機１３の伝送路１５と、所定の通信回線（この場合は通話回線２）とを接続する［ステップＳ２］。この時点で携帯子機１１およびハンドセットステーション７が通話回線２を介して相互に接続されて通話することができる。
【００２４】
次いで利用者は、スピーカ５を介して通話相手先を呼びだすべく該携帯子機１１に割り当てられた所定のボタン（放送開始ボタン）を所定時間押下する［ステップＳ３］。この放送開始ボタンは、携帯子機１１に例えば「＊；アスタリスク」等の任意のボタンが予め割り当てられたものとなっている。ステップＳ３で携帯子機１１に予め割り当てられた放送開始ボタンが押下されると、交換機１３の伝送路１５を介して、この放送開始ボタンに相当する音声帯域内の所定の信号（トーン信号）がインタフェース部２０に与えられる。
【００２５】
するとインタフェース部２０に設けられたＰＢレシーバ２４の信号検出器２４ａが放送開始ボタンに相当する音声帯域内の所定の信号（トーン信号）を検出する。ちなみに、ここでは、利用者によって携帯子機１１の「＊」ボタンを押下されると、携帯子機１１から周波数［ｆ４］のトーン信号が出力されるものとする。この周波数［ｆ４］のトーン信号を検出した信号検出器２４ａは、検出信号を次段のスイッチ制御部２３に与える。この検出信号を受けたスイッチ制御部２３は、回線切換スイッチ２２を閉じて交換機１３の伝送路１５と、所定の通信回線（この場合は放送回線３）を接続する［ステップＳ４］（ステップ２で閉じた回線切換スイッチ２２は開放する）。ちなみにスイッチ制御部２３により回線切換スイッチ２２の状態（オンまたはオフ）が保持されるので、携帯子機１１からこの場合は、「＊」ボタンを押下し続ける必要はない。
【００２６】
そうして放送回線３に接続された後、利用者は、携帯子機１１から送話することによって、交換機１３のトランク１４、インタフェース部２０、放送回線３、主装置６の増幅部６ａおよびスピーカ回線４を介してスピーカ５から音声が出力（呼出）することができる［ステップＳ５］。
このようにして呼出が終了した利用者は、呼出放送を終了すべく該携帯子機１１に予め割り当てられた所定のボタン（放送終了ボタン）を所定時間押下する［ステップＳ６］。この放送終了ボタンは、例えば「＃；シャープ」等の任意のボタンが予め割り当てられたものとなっている。ステップＳ６で携帯子機１１に予め割り当てられた放送終了ボタンが押下されると、交換機１３の伝送路１５を介して、この放送終了ボタンに相当する音声帯域内の所定周波数の信号（トーン信号）がインタフェース部２０に与えられる。
【００２７】
するとこのインタフェース部２０に設けられたＰＢレシーバ２４の信号検出器２４ａが放送終了ボタンに相当する音声帯域内の所定周波数の信号（トーン信号）を検出する。ちなみに、ここでは、利用者が携帯子機１１の「＃」ボタンを押下すると、携帯子機１１から周波数［ｆ５］のトーン信号が出力されるものとする。この周波数［ｆ５］のトーン信号を検出した信号検出器２４ａは、検出信号を次段のスイッチ制御部２３に与える。この検出信号を受けたスイッチ制御部２３は、回線切換スイッチ２２を開いて交換機１３の伝送路１５と、所定の通信回線（この場合は放送回線３）を開放し、放送開始［ステップ３］以前の通信回線（この場合は通話回線２）に復帰する［ステップＳ７］。ちなみにスイッチ制御部２３により回線切換スイッチ２２の状態（オンまたはオフ）が保持されるので、携帯子機１１からこの場合は、「＃」ボタンを押下し続ける必要はない。
【００２８】
次いで携帯子機１１は放送によって呼出した相手方と、ステップ７で復帰した通話回線２を介して通話を行うことができるが、その他の通話回線２に切り換える場合、予め割り当てられた所定の通話回線選択ボタンを押下する［ステップＳ８］。この通話回線選択ボタンは、複数の通話回線２を選択するものであって、例えば通話回線２が三回線の場合、［１］，［２］，［３］等の任意のボタンが予め割り当てられたものとなっている。
【００２９】
利用者が携帯子機１１に予め割り当てられた通話回線選択ボタンが押下すると［ステップＳ８］、交換機１３の伝送路１５を介して、この通話回線選択ボタンに相当する音声帯域内の所定周波数の信号（トーン信号）がインタフェース部２０に与えられる。
するとこのインタフェース部２０に設けられたＰＢレシーバ２４の信号検出器２４ａが通話回線選択ボタンに相当する音声帯域内の所定周波数の信号（トーン信号）を検出する。ちなみに、ここでは、利用者が携帯子機１１の「１」ボタンを押下すると、携帯子機１１から周波数［ｆ１］のトーン信号が出力されるものとする。この周波数［ｆ１］のトーン信号を検出した信号検出器２４ａは、検出信号を次段のスイッチ制御部２３に与える。この検出信号を受けたスイッチ制御部２３は、回線切換スイッチ２２を閉じて交換機１３の伝送路１５と、所定の通信回線（この場合は通話回線２）とを接続する［ステップＳ９］（ステップ７で復帰した回線切換スイッチ２２は開放する）。ちなみにスイッチ制御部２３により回線切換スイッチ２２の状態（オンまたはオフ）が保持されるので、携帯子機１１に予め割り当てられた通話回線選択ボタン、この場合は、「１」ボタンを押下し続ける必要はない。このようにして携帯子機１１およびハンドセットステーション１が通話回線２を介して相互に接続されて通話することができる［ステップＳ１０］。
【００３０】
この通話中、利用者は、放送回線３に切り換えて放送（呼出）を行う場合［ステップＳ１１］、上述したステップＳ３〜Ｓ７を実行することで放送を行った後、再びステップＳ８〜Ｓ１０を実行することでハンドセットステーション１と通話を行うことができる。
或いは、放送（呼出）を行うことなく、他の通話回線２に切り換える場合［ステップＳ１２］、携帯子機１１に予め割り当てられた通話回線選択ボタンを押下し、上述したステップＳ８〜Ｓ１０を実行することで任意の通話回線２に切り換えて通話を行うことが可能となる。
【００３１】
このようにして携帯子機１１とハンドセットステーション１と通話を行った後、終話する場合［ステップＳ１３］、携帯子機１１を携行している利用者は、終話ボタンを押下する［ステップＳ１４］。すると交換機１３のトランク１４は、終話ボタンの押下を検出して、伝送路１５を開放する［ステップＳ１５］と共に、インタフェース部２０のリセット部２５に制御路１６を介してリセット信号を与える。このリセット信号を受けたリセット部２５は、スイッチ制御部２３に対して、閉じている回線切換スイッチを開く（オフ）するよう指示を出して、通信回線を開放する［ステップＳ１６］。
【００３２】
なお、上述した実施形態にあっては、携帯子機１１から音声帯域における所定周波数の信号として単一トーン信号を送出する場合を例示したが、例えば携帯子機１１のボタンを押下することによって複数の単一周波数を組み合わせたデュアルトーン信号を送出するようにしてもかまわない。この場合は、一般の携帯電話等に用いられているＤＴＭＦ信号をそのまま使うことができるので、携帯子機１１に単一トーンの信号を出力する回路を省略することができて望ましい。
【００３３】
かくしてこのように構成したページング装置にあっては、携帯子機１１から出力される音声帯域における所定周波数の信号をＰＢレシーバ２４で検出すると共に、このＰＢレシーバ２４の検出信号から、交換機１３の出力に設けた回線切換部２１を作動させて通信回線（通話回線２および放送回線３）の所定の１回線に接続することができる。したがって、携帯端末１１からスピーカ回線４に接続されたスピーカ５を介して通話を所望する相手を呼び出すことができると共に、呼び出した相手と任意の通話回線２を利用して相互通話を行うことができる。また、携帯端末１１のボタン操作により回線切換部２１が所望の回線に切り換えるので、再接続（ダイヤリング）する必要がない。
【００３４】
更には、本発明のページャ装置は、携帯端末１１を利用者が携行することができることから、設置場所の制限を受けない利便性を確保することもできる。特に携帯端末１１には、従来から一般に使用されている例えば構内ＰＨＳシステムの無線端末装置を適用することが可能であり、設備費の低減を図ることもできる。
尚、上述した実施形態にあっては、携帯子機１１の放送開始ボタンと放送終了ボタンとで、それぞれ別々のボタンを割り当てたものとして例示したが、例えば放送開始ボタンと放送終了ボタンを同一ボタンとして、このボタン操作によって出力される所定周波数の信号によってインタフェース部２０に放送開始／放送終了を行わせる、所謂トグル動作をさせるように構成してもよい。具体的にはインタフェース部２０は、図４に示すように放送開始を示す所定周波数の信号を受けて交換機１３の伝送路１５を放送回線３に接続する。そしてインタフェース部２０は、前述した放送終了を示す所定周波数と同一信号を受けて交換機１３の伝送路１５を開放する。このようにすることで、携帯端末１１に放送開始および放送終了のために二つのボタンを割り当てることなく放送開始／放送終了を行うことができるのでより簡易な構成とすることができると共に、操作性を向上させることができる。
【図面の簡単な説明】
【００３５】
【図１】本発明の一実施形態に係るページング装置の概略構成を示すブロック図。
【図２】図１に示すインタフェース部の内部構成を示すブロック図。
【図３】本発明の一実施形態に係るページング装置の作動アルゴリズムを示すフローチャート。
【図４】本発明のページング装置において携帯端末から出力される放送回線切換信号の別の実施形態を示すタイミング図。
【図５】従来の有線方式のページング装置の概略構成を示すブロック図。
【図６】従来の無線方式のページング装置の概略構成を示すブロック図。
【符号の説明】
【００３６】
１      ハンドセットステーション
２      通話回線
３      放送回線
４      スピーカ回線
５      スピーカ
６      主装置
６ａ    増幅部
６ｂ    電源部
７      スイッチ入力部
８      回線切換部
９      ハンドセット
１０      増幅部
１１      携帯子機
１２      基地局
１３      交換機
１４      トランク
１５      伝送路
１６      制御路
２０      インタフェース部
２１      回線切換部
２４      ＰＢレシーバ
【図１】
2006067290.tif 000003
【図２】
2006067290.tif 000004
【図３】
2006067290.tif 000005
【図４】
2006067290.tif 000006
【図５】
2006067290.tif 000007
【図６】
2006067290.tif 000008